(57)【特許請求の範囲】
【請求項１】
浴槽(４)に供給される温水を貯留する貯湯タンク(３)と、
上記貯湯タンク(３)に接続され、追焚熱交換器(２０)を有する追焚回路(Ｌ１)と、
上記貯湯タンク(３)に接続され、沸き上げ熱交換器(１０)を有する沸き上げ回路(Ｌ２)と、
上記沸き上げ熱交換器(１０)に冷媒配管(Ｌ６１，Ｌ６２)を介して接続された空気熱交換器(４１)と、
上記追焚回路(Ｌ１)および沸き上げ回路(Ｌ２)への送水を行う共用ポンプ(Ｐ１)と、
上記浴槽(４)から出た風呂水を上記追焚熱交換器(２０)を介して上記浴槽(４)に戻すと共に、風呂水循環ポンプ(Ｐ２)を有する風呂水循環回路(Ｌ３)と、
上記風呂水循環回路(Ｌ３)内の風呂水の温度を検出する温度センサ(Ｔ２３)と、
制御装置(１００)と
を備え、
上記制御装置(１００)は、上記空気熱交換器(４１)の正サイクルデフロスト運転が行われているとき、上記貯湯タンク(３)内の温水量に関係なく、上記風呂水循環ポンプ(Ｐ２)を駆動させながら上記温度センサ(Ｔ２３)による上記風呂水の温度検出を行うことを禁止する風呂水温度検出禁止部(１０１)を有することを特徴とする給湯装置。
【請求項２】
請求項１に記載の給湯装置において、
リモコン(２００)を備え、
上記制御装置(１００)は、上記浴槽(４)内の風呂水の保温が自動で行われているとき、上記風呂水の温度検出の禁止により追焚運転ができないことを上記リモコン(２００)に報知させないことを特徴とする給湯装置。
【請求項３】
請求項１に記載の給湯装置において、
リモコン(２００)を備え、
上記制御装置(１００)は、ユーザの手動操作により追焚運転の開始指示を受けた場合、上記風呂水の温度検出の禁止により追焚運転ができないとき、追焚運転ができないことを上記リモコン(２００)に報知させることを特徴とする給湯装置。
【発明の詳細な説明】
【技術分野】
【０００１】
この発明は、給湯装置に関する。
【背景技術】
【０００２】
従来、給湯装置としては、温水を貯湯する貯湯タンクを備え、その温水を浴槽に供給するものがある(例えば特開２０１２−２５５５８７号公報(特許文献１)参照)。この貯湯タンクには、追焚熱交換器を有する追焚回路と、沸き上げ熱交換器を有する沸き上げ回路とが接続されている。また、上記沸き上げ回路には共用ポンプが配設されている。この共用ポンプは、追焚回路に送水するときも、沸き上げ回路に送水するときも、駆動される。
【０００３】
また、上記給湯装置は、浴槽内の風呂水を追焚熱交換器を介して循環させる風呂水循環ポンプを備えている。
【０００４】
上記構成の貯湯装置によれば、浴槽内の風呂水を追い焚きするとき、共用ポンプが駆動して、貯湯タンクから追焚回路に温水が流入し、この温水が追焚熱交換器に供給される。このとき、上記風呂水循環ポンプが駆動して、浴槽から追焚熱交換器に風呂水が供給される。これにより、上記風呂水は、温水との熱交換で温度が上昇した後、浴槽内に流入する。逆に、上記温水は、風呂水との熱交換で温度が下がった後、沸き上げ回路に流入し、沸き上げ熱交換器で、空気熱交換器からの冷媒で加熱された後、再び、追焚回路へ戻る。
【０００５】
このように、上記浴槽内の風呂水を追い焚きするとき、共用ポンプが駆動して、温水が追焚回路および沸き上げ回路を循環するようになっている。別の言い方をすれば、追焚回路および沸き上げ回路に温水を流すことが、浴槽内の風呂水を追い焚きするために必要となる。
【先行技術文献】
【特許文献】
【０００６】
【特許文献１】特開２０１２−２５５５８７号公報
【発明の概要】
【発明が解決しようとする課題】
【０００７】
ところで、上記従来の給湯装置では、空気熱交換器の正サイクルデフロスト運転を行うとき、沸き上げ熱交換器での冷媒の温度低下を抑制して、高温の冷媒を空気熱交換器に戻すため、共用ポンプを停止させて、温水が沸き上げ熱交換器を流れないようにする。
【０００８】
すなわち、上記正サイクルデフロスト運転中は、追焚回路および沸き上げ回路に温水を流すことができず、追焚運転が行えない。
【０００９】
また、上記従来の給湯装置では、浴槽内の風呂水の温度を検出するとき、風呂水循環ポンプを駆動させ、追焚熱交換器と浴槽を繋ぐ水配管に浴槽内の風呂水を送って、その水配管に取り付けられた温度センサで風呂水の温度を検出する。
【００１０】
このように、上記温度センサで風呂水の温度を検出するために、風呂水循環ポンプを駆動させると、水配管内の冷めた風呂水が浴槽に戻って、浴槽内の風呂水の温度低下が促進されてしまう。このとき、上記貯湯タンクから追焚熱交換器に温水が供給されていれば、上記水配管内の風呂水の温度を上げることができるので、浴槽内の風呂水の温度低下の促進を防ぐことができる。
【００１１】
しかしながら、上記正サイクルデフロスト運転中は追焚回路に温水を流すことができないため、貯湯タンクから追焚熱交換器に温水を供給できず、浴槽内の風呂水の温度低下の促進を防ぐことができないという問題がある。
【００１２】
そこで、この発明の課題は、空気熱交換器の正サイクルデフロスト運転中に浴槽内の風呂水の温度低下が促進されるのを防ぐことができる給湯装置を提供することにある。
【課題を解決するための手段】
【００１３】
上記課題を解決するため、この発明の給湯装置は、
浴槽に供給される温水を貯留する貯湯タンクと、
上記貯湯タンクに接続され、追焚熱交換器を有する追焚回路と、
上記貯湯タンクに接続され、沸き上げ熱交換器を有する沸き上げ回路と、
上記沸き上げ熱交換器に冷媒配管を介して接続された空気熱交換器と、
上記追焚回路および沸き上げ回路への送水を行う共用ポンプと、
上記浴槽から出た風呂水を上記追焚熱交換器を介して上記浴槽に戻すために設けられ、風呂水循環ポンプを有する風呂水循環回路と、
上記風呂水循環回路内の風呂水の温度を検出する温度センサと、
制御装置と
を備え、
上記制御装置は、上記空気熱交換器の正サイクルデフロスト運転が行われているとき、上記貯湯タンク内の温水量に関係なく、上記風呂水循環ポンプを駆動させながら上記温度センサによる上記風呂水の温度の検出を行うことを禁止する風呂水温度検出禁止部を有することを特徴としている。
【００１４】
上記構成によれば、上記風呂水温度検出禁止部は、空気熱交換器の正サイクルデフロスト運転が行われているとき、風呂水循環ポンプを駆動させながら温度センサによる風呂水の温度の検出を行うことを禁止する。これにより、仮に、上記風呂水循環回路内に冷めた風呂水が溜まっていたとしても、この冷めた風呂水が浴槽に送られないようにすることができる。したがって、上記空気熱交換器の正サイクルデフロスト運転中に浴槽内の風呂水の温度低下が促進されるのを防ぐことができる。
【００１５】
一実施形態の給湯装置は、
リモコンを備え、
上記制御装置は、上記浴槽内の風呂水の保温が自動で行われているとき、上記風呂水の温度検出の禁止により追焚運転ができないことを上記リモコンに報知させない。
【００１６】
上記実施形態によれば、上記浴槽内の風呂水の保温は自動で行われているため、ユーザは上記保温が行われているか否かを意識する必要がない。したがって、上記浴槽内の風呂水の保温が自動で行われているとき、風呂水の温度検出の禁止により追焚運転ができないことの報知は、ユーザにとって不要である。したがって、上記制御装置は、浴槽内の風呂水の保温が自動で行われているとき、風呂水の温度検出の禁止により追焚運転ができないことをリモコンに報知させないので、リモコンの不要な報知を低減できる。
【００１７】
一実施形態の給湯装置は、
リモコンを備え、
上記制御装置は、ユーザの手動操作により追焚運転の開始指示を受けた場合、上記風呂水の温度検出の禁止により追焚運転ができないとき、追焚運転ができないことを上記リモコンに報知させる。
【００１８】
上記実施形態によれば、ユーザが手動操作で追焚運転の開始指示を出した場合、その追焚運転が何の報知もなく開始されなければ、ユーザは給湯装置が故障しているのではと思ってしまう。したがって、上記制御装置は、ユーザの手動操作により追焚運転の開始指示を受けた場合、風呂水の温度検出の禁止により追焚運転ができないとき、追焚運転ができないことをリモコンに報知させるので、ユーザが給湯装置の故障を疑うことを防ぐことができる。
【発明の効果】
【００１９】
この発明の給湯装置は、風呂水温度検出禁止部を有する制御装置を備え、この風呂水温度検出禁止部は、空気熱交換器の正サイクルデフロスト運転が行われているとき、風呂水循環ポンプを駆動させながら温度センサによる風呂水の温度の検出を行うことを禁止することによって、風呂水循環回路内の冷めた風呂水が浴槽に送られないようにすることができるので、空気熱交換器の正サイクルデフロスト運転中に浴槽内の風呂水の温度低下が促進されるのを防ぐことができる。
【図面の簡単な説明】
【００２０】
【図１】図１はこの発明の一実施の形態の給湯装置の配管系統図である。
【図２】図２は正サイクルデフロスト運転と追焚運転との関係の一例を説明するための図である。
【図３】図３は図２の一部の拡大図である。
【図４】図４はリモコンの正面図である。
【図５】図５はリモコンの他の正面図である。
【発明を実施するための形態】
【００２１】
以下、この発明の給湯装置を図示の実施の形態により詳細に説明する。
【００２２】
図１はこの発明の一実施の形態の給湯装置の配管系統図である。
【００２３】
上記給湯装置は、貯湯タンク３、追焚回路Ｌ１、沸き上げ回路Ｌ２、風呂水循環回路Ｌ３および制御装置１００を有する貯湯ユニット１と、ヒートポンプユニット２とを備える。
【００２４】
上記貯湯タンク３は、浴槽４に供給される温水を貯留する。この貯湯タンク３には、下側から上側に向かって略等間隔に４つの温度センサＴ１〜Ｔ４が設けられている。また、給水源７０からの市水が、必要時、貯湯タンク３に供給される。より詳しくは、給水源７０には水配管Ｌ１１の一端部が接続され、水配管Ｌ１１の他端部が貯湯タンク３の下部に接続されている。また、水配管Ｌ１１には、水配管Ｌ１１内の圧力が所定値を越えないようにするための減圧弁１１と、給水源７０側から貯湯タンク３側への流れのみを許容する逆止弁１２とが配設されている。
【００２５】
また、上記減圧弁１１と逆止弁１２の間の水配管Ｌ１１には、水配管Ｌ１２の一端が接続されている。一方、水配管Ｌ１２の他端は給湯用混合弁２２の第１入水ポートに接続されている。また、水配管Ｌ１２には、給水源７０側から給湯用混合弁２２側への流れのみを許容する逆止弁２３が配設されている。
【００２６】
また、上記給湯用混合弁２２の第２入水ポートには、水配管Ｌ３１の一端が接続されている。一方、水配管Ｌ３１の他端は貯湯タンク３の上部に接続されている。これにより、給湯用混合弁２２は、水配管Ｌ３１からの温水に水配管Ｌ１２からの市水を混合して、所望の温度に調節した温水を出水ポートから水配管Ｌ３２に流すことができるようになっている。また、水配管Ｌ３１には、貯湯タンク３側から給湯用混合弁２２側への流れのみを許容する逆止弁２１が配設されている。
【００２７】
また、上記水配管Ｌ３２は、給湯用混合弁２２からの温水を水量センサ２４を介して給湯栓６０へ案内する。この水量センサ２４よりも下流側の水配管Ｌ３２には温度センサＴ２１が取り付けられている。一方、水量センサ２４よりも上流側の水配管Ｌ３２には、水配管Ｌ３３の一端が接続されている。この水配管Ｌ３３の他端は水配管Ｌ３４に接続されている。これにより、給水配管Ｌ３２から水配管Ｌ３３に流入した温水は、水配管Ｌ３４を介して浴槽４に供給できるようになっている。また、水配管Ｌ３３には、湯張り用電磁弁２５、逆止弁２６、水量センサ２７および逆止弁２８が上流側から順に配設されている。この逆止弁２６，２８は、水配管Ｌ３２側から水配管Ｌ３４側への流れのみを許容する。
【００２８】
また、上記水配管Ｌ３４の一端は、浴槽４に設けられた接続アダプタ９の給湯口９ａに接続されている。また、接続アダプタ９の追焚用吸水口９ｂには水配管Ｌ３５の一端が接続されている。一方、水配管Ｌ３４，Ｌ３５の他端は追焚熱交換器２０に接続されている。この水配管Ｌ３５には風呂水循環ポンプＰ２が配設されている。また、風呂水循環ポンプＰ２よりも上流側の配管Ｌ３５には、水位センサＬＳ、水位スイッチＳＷおよび温度センサＴ２３が取り付けられている。また、水配管Ｌ３３の他端と水配管３４の接続箇所には、温度センサ２２が取り付けられている。
【００２９】
上記追焚回路Ｌ１は水配管Ｌ２１，Ｌ２２および追焚熱交換器２０を有しており、貯湯タンク３の上部からの温水が追焚回路Ｌ１を流れる。この追焚熱交換器２０は、一端が水配管Ｌ２１を介して貯湯タンク３の上部に接続されていると共に、他端が水配管Ｌ２２を介して沸き上げ混合弁５０の第１入水ポートに接続されている。また、水配管Ｌ２１には水配管Ｌ４１の一端が接続され、この水配管Ｌ４１の他端が排水口８０に接続されている。また、水配管Ｌ４１には逃し弁３１が配設されている。
【００３０】
また、上記追焚熱交換器２０は追焚回路Ｌ１に配設されている。この追焚熱交換器２０では、貯湯タンク３の上部からの温水と、浴槽４からの風呂水とが、互いに熱交換する。このとき、上記風呂水は、上記温水との熱交換で温度が上がって、水配管Ｌ３４によって浴槽４に案内される。逆に、上記温水は、上記風呂水との熱交換で温度が下がって、水配管Ｌ２２によって沸き上げ混合弁５０へ案内される。
【００３１】
上記沸き上げ回路Ｌ２は、沸き上げ混合弁５０、水配管Ｌ５１〜Ｌ５３および沸き上げ熱交換器１０を有しており、貯湯タンク３の上部へ向かう温水が沸き上げ回路Ｌ２を流れる。沸き上げ混合弁５０の第２入水ポートは、水配管Ｌ５１を介して貯湯タンク３の下部に接続されている。また、沸き上げ混合弁５０の出水ポートは、水配管Ｌ５２を介して沸き上げ熱交換器１０の一端に接続されている。すなわち、沸き上げ混合弁５０は、水配管Ｌ５１からの温水に水配管Ｌ２２からの温水を混合して、所望の温度に調節した温水を水配管Ｌ５２へ流すためのものである。一方、沸き上げ熱交換器１０の他端は、水配管Ｌ５３を介して貯湯タンク３の上部に接続されている。また、水配管Ｌ５２には共用ポンプＰ１が配設されている。また、共用ポンプＰ１よりも下流側の水配管Ｌ５２には、温度センサ１１が取り付けられている。また、水配管Ｌ５３には温度センサＴ１２が取り付けられている。
【００３２】
また、上記沸き上げ熱交換器１０には温度センサＴ１３が取り付けられている。また、沸き上げ熱交換器１０には、沸き上げ混合弁５０から水配管Ｌ５２を介して温水が供給されると共に、ヒートポンプユニット２の圧縮機４２から冷媒配管Ｌ６１を介して冷媒が供給される。このとき、上記温水は、上記冷媒との熱交換で温度が上がって、水配管Ｌ５３によって貯湯タンク３の上部へ案内される。逆に、上記冷媒は、上記温水との熱交換で温度が下がって、冷媒配管Ｌ６２によってヒートポンプユニット２へ案内される。
【００３３】
また、上記共用ポンプＰ１は追焚回路Ｌ１および沸き上げ回路Ｌ２への送水を行う。このため、追焚回路Ｌ１に温水を流すときも、沸き上げ回路Ｌ２に温水を流すときも、共用ポンプＰ１の駆動が必要となる。
【００３４】
上記風呂水循環回路Ｌ３は、浴槽４から出た風呂水を追焚熱交換器２０を介して浴槽４に戻す。より詳しくは、風呂水循環回路Ｌ３は水配管Ｌ３４，Ｌ３５および風呂水循環ポンプＰ２を有する。この水配管Ｌ３４の一端は、浴槽４に設けられた接続アダプタ９の給湯口９ａに接続されている。また、接続アダプタ９の追焚用吸水口９ｂには水配管Ｌ３５の一端が接続されている。一方、水配管Ｌ３４，Ｌ３５の他端は追焚熱交換器２０に接続されている。この水配管Ｌ３５には風呂水循環ポンプＰ２が配設されている。また、風呂水循環ポンプＰ２よりも上流側の配管Ｌ３５には、水位センサＬＳ、水位スイッチＳＷおよび温度センサＴ２３が取り付けられている。この温度センサＴ２３は、水配管Ｌ３５内の温水の温度を検出し、この温度を示す信号を制御装置１００へ送出する。また、水配管Ｌ３３の他端と水配管３４の接続箇所には、温度センサ２２が取り付けられている。
【００３５】
上記制御装置１００は、ソフトウェアで構成された風呂水温度検出禁止部１０１を有する。この風呂水温度検出禁止部１０１は、空気熱交換器４１の正サイクルデフロスト運転が行われているとき、風呂水循環ポンプＰ２を駆動させながら温度センサＴ２３による風呂水の温度検出を行うことを禁止する。
【００３６】
上記ヒートポンプユニット２は、空気熱交換器４１、圧縮機４２および膨張機構(例えば膨張弁)４３を有する。この空気熱交換器４１、圧縮機４２、沸き上げ熱交換器１０および膨張機構４３は、図示しない冷媒配管と冷媒配管Ｌ６１，Ｌ６２とを介して環状に接続されている。すなわち、空気熱交換器４１から出た冷媒は、圧縮機４２、沸き上げ熱交換器１０および膨張機構４３をこの順で流れた後、空気熱交換器４１に戻るようになっている。
【００３７】
また、上記ヒートポンプユニット２には、空気熱交換器４１の温度を検出する第１温度センサ４４が設置されていると共に、外気温度を検出する第２温度センサ４５が設置されている。この第１温度センサ４４は、空気熱交換器４１の温度を示す信号を制御装置１００へ送出する。また、第２温度センサ４５は、外気温度を示す信号を制御装置１００へ送出する。
【００３８】
上記正サイクルデフロスト運転は、第１温度センサ４４により検出された空気熱交換器４１の温度が、予め設定された開始温度以下になったときに開始するようになっている。より詳しくは、制御装置１００は、空気熱交換器４１の温度が上記開始温度以下になっていることを検出した場合、共用ポンプＰ１が駆動しないように、共用ポンプＰ１を制御しつつ、空気熱交換器４１から出た冷媒が、圧縮機４２、沸き上げ熱交換器１０および膨張機構４３を順次流れて、空気熱交換器４１に戻るように、圧縮機４２および膨張機構４３を制御する。
【００３９】
図２は、上記正サイクルデフロスト運転と追焚運転との関係の一例を説明するための図である。なお、図２中の折れ線グラフは、縦軸を風呂水の温度とする一方、横時間を時間とするものである。
【００４０】
上記貯湯タンク３内の温水を所望の温度に調節して浴槽４に供給する湯張り運転が完了した後、浴槽４内の風呂水の温度が風呂設定温度から大きく外れないようにするため、１５分間隔で追焚運転が繰り返される。このとき、上記各追焚運転では、まず、風呂水循環ポンプＰ２が駆動し、風呂水の温度が検出される。この検出された風呂水の温度が、風呂水設定温度より低ければ、共用ポンプＰ１が駆動される。そして、上記風呂水の温度が風呂水設定温度まで上昇すれば、共用ポンプＰ１を停止させ、次に、風呂水循環ポンプＰ２を停止させて、追焚運転が完了する。このような追焚運転が繰り返されているとき、図２に示すように、湯張り運転が完了してから３回目の追焚運転が開始する直前に、空気熱交換器４１の温度が上記開始温度以下になっていれば、沸き上げ運転が停止し、正サイクルデフロスト運転が開始する。そうすると、上記正サイクルデフロスト運転が行われている間は、風呂水温度検出禁止部１０１によって、風呂水循環ポンプＰ２を駆動させながら温度センサＴ２３による風呂水の温度検出が行われないようになる。そして、上記正サイクルデフロスト運転が完了すると、３回目の追焚運転が開始される。これにより、まず、風呂水循環ポンプＰ２が駆動し、温度センサＴ２３が水配管Ｌ３５内の風呂水の温度を検出する。そして、共用ポンプＰ１が駆動し、貯湯タンク３内の温水が追焚熱交換器２０に供給されて、風呂水の温度が追焚熱交換器２０で上がる。
【００４１】
上記構成の給湯装置によれば、風呂水温度検出禁止部１０１は、空気熱交換器４１の正サイクルデフロスト運転が行われているとき、風呂水循環ポンプＰ２を駆動させながら温度センサＴ２３による風呂水の温度の検出を行うことを禁止する。これにより、仮に、上記風呂水循環回路Ｌ３内に冷めた風呂水が溜まっていたとしても、この冷めた風呂水が浴槽４に送られないようにすることができる。したがって、上記正サイクルデフロスト運転中に浴槽４内の風呂水の温度低下が促進されるのを防ぐことができる。
【００４２】
図３に示すように、風呂水循環ポンプＰ２を駆動させながら温度センサＴ２３による風呂水の温度検出を行ったときの温度低下の傾きの方は、自然放熱による温度低下の傾きに比べて急になっている。したがって、上記正サイクルデフロスト運転中に風呂水循環ポンプＰ２を駆動させながら温度センサＴ２３による風呂水の温度検出が行われたなら、浴槽４内の風呂水の温度が大きく低下してしまう。すなわち、上記正サイクルデフロスト運転中に風呂水循環ポンプＰ２を駆動させながら温度センサＴ２３による風呂水の温度検出が行われないようにすれば、浴槽４内の風呂水の大幅な温度低下を防ぐことができる。
【００４３】
また、上記貯湯ユニット１と浴槽４の間の水配管Ｌ３４，Ｌ３５の長さは、５〜１０ｍにもなる。このため、貯湯ユニット１と浴槽４の間の水配管Ｌ３４，Ｌ３５には、ある程度の量の風呂水が溜まる。また、貯湯ユニット１と浴槽４の間の水配管Ｌ３４，Ｌ３５では浴槽４に比べて放熱が進むため、その風呂水の温度が非常に低くなる可能性がある。したがって、ある程度量があって温度が低い風呂水が浴槽４に供給されることは、浴槽４内の風呂水の温度低下を抑制する上で、無視できない。
【００４４】
上記実施の形態では、湯張り運転から次の追焚運転までの間隔、および、追焚運転同士の間隔は、１５分で固定されていたが、１５分以外の時間で固定されてもよい。あるいは、湯張り運転から次の追焚運転までの間隔、および、追焚運転同士の間隔は、可変にしてもよい。
【００４５】
上記実施の形態では、沸き上げ回路Ｌ２に共用ポンプＰ１を配設し、かつ、追焚回路Ｌ１に共用ポンプを配設していなかったが、沸き上げ回路Ｌ２に共用ポンプＰ１を配設し、かつ、追焚回路Ｌ１に共用ポンプを配設してもよい。
【００４６】
上記実施の形態では、沸き上げ熱交換器１０は、貯湯ユニット１内に設置されていたが、ヒートポンプユニット２内に設置されるようにしてもよい。
【００４７】
上記実施の形態では、風呂水温度検出部１０１は、ソフトウェアで構成されていたが、ハードウェア構成されるようにしてもよい。
【００４８】
上記実施の形態において、給湯装置は、図４に示すリモコン２００を備えてもよい。このリモコン２００には表示部２０１およびボタン２０２〜２１１が設けられている。例えば、ユーザがボタン２０２を押すと、浴槽４内の風呂水の保温が自動で行われる。また、ユーザがボタン２０３を押すと、追焚運転が開始する。すなわち、ユーザがボタン２０３を押したとき、制御装置１００は追焚運転の開始指示を受ける。
【００４９】
上記給湯装置がリモコン２００を備える場合、ボタン２０２が押さて、浴槽４内の風呂水の保温が自動で行われているとき、風呂水温度検出禁止部１０１による風呂水の温度検出の禁止のために追焚運転ができないことは、リモコン２００を使って文字または音声でユーザに報知しなくてよい。すなわち、制御装置１００は、そのような報知を行わないようにリモコン２００を制御してもよい。このような制御により、リモコン２００の不要な報知が低減される。
【００５０】
また、上記制御装置１００が、上述の報知を行わないようにリモコン２００を制御する場合も、上述の報知を行わないようにリモコン２００を制御しない場合も、ボタン２０３が押されたとき、風呂水温度検出禁止部１０１による風呂水の温度検出の禁止のために追焚運転ができなければ、制御装置１００は、図５に示すように、追焚運転ができないことを表示部２０１に表示させてもよい。このような表示により、上記給湯装置が故障していると、ユーザが勘違いするのを防ぐことができる。なお、上記追焚運転ができないことはリモコン２００が音声で報知してもよい。
【００５１】
この発明の具体的な実施形態について説明したが、この発明は上記実施の形態に限定されるものではなく、この発明の範囲内で種々変更して実施することができる。例えば、上記実施の形態の変形例を適宜組み合わせたものを、この発明の一実施の形態としてもよい。
【符号の説明】
【００５２】
１  貯湯ユニット
２  ヒートポンプユニット
３  貯湯タンク
４  浴槽
１０  沸き上げ熱交換器
２０  追焚熱交換器
４１  空気熱交換器
４２  圧縮機
４３  膨張機構
４４  第１温度センサ
４５  第２温度センサ
５０  沸き上げ混合弁
１００  制御装置
１０１  風呂水温度検出禁止部
Ｐ１  共用ポンプ
Ｐ２  風呂水循環ポンプ
Ｌ１  追焚回路
Ｌ２  沸き上げ回路
Ｌ１１，Ｌ１２，Ｌ２１，Ｌ２２，Ｌ３１〜Ｌ３５，Ｌ４１，Ｌ５１〜Ｌ５３  水配管
Ｌ６１，Ｌ６２  冷媒配管
【図１】
0005892154.tif 000002
【図２】
0005892154.tif 000003
【図３】
0005892154.tif 000004
【図４】
0005892154.tif 000005
【図５】
0005892154.tif 000006